(57)【要約】【課題】足場板の寸法違いにもしっかりと対応して取付け状態の調節ができると共に、その取付け作業を容易にでき、上下方向および水平方向にきちんと積載し、整列させることができる足場用幅木を提案する。【解決手段】幅木本体に対し、幅木の長手方向の取付けた、上下方向にスライドすると共に、水平方向にも変位する係止金具と、該幅木長手方向中央部に取付けた斜めスライド枠とこの枠内斜行溝に嵌合していて斜め方向に移動させ得る締付け具および固定板とからなる固定金具とを配設した足場用幅木。【選択図】図２
2010222958.tif 000002
【特許請求の範囲】
【請求項１】
幅木本体に対し、幅木の長手方向の両端部にはそれぞれ上下方向にスライドすると共に水平方向にも変位する係止金具を取付け、そして、該幅木長手方向中央部には、その外側面に固着した斜めスライド枠とこの枠内斜行溝に嵌合していて斜め方向に移動させ得る締付け具およびその締付け具による締め付け位置において足場板と幅木の上部側縁とに係止可能になるように曲成された固定板とからなる固定金具を配設した、３点支持機構からなることを特徴とする足場用幅木。
【請求項２】
前記係止金具は、下部に二又状係止溝を有し、中央胴部には弾装ボルトを挿通させる長孔状スライド孔を有し、かつ上部には外向きに突設してなる頭部を有するものからなることを特徴とする請求項１に記載の足場用幅木。
【請求項３】
前記二又状係止溝は、頭部を加圧して押し下げたときに、足場板の掛止クランプを挟持して、幅木本体と足場板との係合を果すものであることを特徴とする請求項１に記載の足場用幅木。
【請求項４】
弾発下に軸支されている前記係止金具は、足場板と幅木との寸法上の違いによる段違いを吸収するために水平方向に変位するものであることを特徴とする請求項１〜３のいずれか１項に記載の足場用幅木。
【請求項５】
前記係止金具および固定金具は、箱形パネルからなる幅木の厚み範囲内の端面もしくはパネル内に収まるように設けられたものであることを特徴とする１〜４のいずれか１項に記載の足場用幅木。
【請求項６】
前記固定金具は、斜めスライド枠と固定板とをつなぐ締付け具が、手指で締め付けが可能な蝶ナットおよびボルトにて構成され、該固定板は頂部に幅木の上部側縁に係合する突き当て部が設けられかつ底部には足場板を把持する把持部を有するものからなることを特徴とする１〜５のいずれか１項に記載の足場用幅木。
【発明の詳細な説明】
【技術分野】
【０００１】
本発明は、建・構築物の工事現場等において、その建・構築する外壁等に沿って設置する枠組み足場の足場板側縁部に立設される足場用幅木に関するものである。
【背景技術】
【０００２】
建築工事や土木構築工事の現場においては、建築、構築する壁面等に沿って、作業者が歩いたり、工具類を仮り置きしたりするための仮設の枠組み足場が設けられる。この足場には、作業者が足を踏み外したり、工具類が落下したりすることがないようにするために、足場板の外側縁部に沿ってつま先板と呼ばれる幅木が取付けられるのが普通である。
【０００３】
こうした足場用幅木としては、従来、特許文献１〜３に開示されているようなものがある。例えば、特許文献１には、チャンネル状断面の幅木本体に対し、これを足場板に固定するための逆Ｕ字形状の係止金具、それの抜け止め金具および建枠への固定用フック金具を設けてなる幅木についての提案がある。また、特許文献２では、足場板と幅木とを上下動可能なフック部材にて挟持し、ねじ軸を挿通させて固定するようにした幅木を提案している。さらに、特許文献３では、逆Ｕ字状係止金具を、足場板の両側端部に突設した係止クランプに差し込んで挟持して軸支固定するタイプの幅木を提案している。
【先行技術文献】
【特許文献】
【０００４】
【特許文献１】特開２００６−１６１４５８号公報
【特許文献２】特開２００７−１２００６５号公報
【特許文献３】特開２００８−１０６４３７号公報
【発明の概要】
【発明が解決しようとする課題】
【０００５】
ところで、足場板というのは本来、規格で寸法が統一されているものであるが、メーカーによりまた製造時期（ロット）により、実際には長さや幅、厚み、高さが異なっているのが実情である。一方で、従来の幅木は、一般にはしっかりと締結固定する構造になっているのが普通である。従って、従来の幅木というのは、作業性が悪いことに加え、その多くは寸法の違いに対応できていないのが実情である。
【０００６】
例えば、特許文献１の場合、前記係止金具や抜け止め金具はこれらを軸体でしっかりと固着していることから、足場板と幅木との長さ方向（水平方向）の寸法に狂いがあったりすると、これらの軸着状態が却って不安定になるだけでなく、該幅木の浮き上がりや横づれ防止対策としてもバネ体による弾発力のみに頼る構造になっていることからも不十分である。また、特許文献２、３についても、前記フック部材や係止金具、挟持金具については、締結力に主眼が置かれているために、長手方向ならびに高さ方向においける寸法の違いを吸収するための十分な調整機構がなく、それが却って幅木の取付け状態を不安定にするという課題があった。
【０００７】
また、足場用幅木を倉庫などで保管する場合、一度に数百〜数千枚という多量の足場用幅木を保管しなければならない。しかし、特許文献１〜３に記載の足場用幅木では、各種金属、フック部材が邪魔になるため、幅木を上下方向に積載したり、水平方向にきちんと並べることが困難である。
【０００８】
本発明の目的は、足場板等の寸法の違いにもしっかりと対応することができると共に、その取付け作業を容易に行うことができる足場用幅木の構造を提案することにある。
【０００９】
また、本発明の他の目的は、幅木の長手方向の両側端部のみならずその略中央部をも係止することで、該幅木の浮き上がりや横づれに伴う弛みや脱落を確実に防止できるようにした安全性の高い足場用幅木の構造を提案することにある。
【００１０】
本発明のさらに他の目的は、上下方向、水平方向にきちんと積層、整理して並べることができる足場用幅木を提案することにある。
【課題を解決するための手段】
【００１１】
従来の幅木が抱えている上述した課題について検討する中で、発明者らは、足場板や掛止クランプへの取付けが容易で、その取付け状態の可変調節の自由度が高く、しかもその取付け状態が安定していて堅固である足場用幅木の開発に成功した。即ち、本発明は、幅木本体に対し、幅木の長手方向の両端部にはそれぞれ上下方向にスライドすると共に水平方向にも変位する係止金具を取付け、そして、該幅木長手方向中央部には、その外側面に固着した斜めスライド枠とこの枠内斜行溝に嵌合していて斜め方向に移動させ得る締付け具およびその締付け具による締め付け位置において足場板と幅木の上部側縁とに係止可能になるように曲成された固定板とからなる固定金具を配設した、３点支持機構からなることを特徴とする足場用幅木である。
【００１２】
本発明に係る足場用幅木においては、
（１）前記係止金具は、下部に二又状係止溝を有し、中央胴部には弾装ボルトを挿通させる長孔状スライド孔を有し、かつ上部には外向きに突設してなる頭部を有するものからなること、
（２）前記二又状係止溝は、頭部を加圧して押し下げたときに、足場板の掛止クランプを挟持して、幅木本体と足場板との係合を果すものであること、
（３）弾発下に軸支されている前記係止金具は、足場板と幅木との寸法上の違いによる段違いを吸収するために水平方向に変位するものであること、
（４）前記係止金具および固定金具は、箱形パネルからなる幅木の厚み範囲内の端面もしくはパネル内に収まるように設けられたものであること、
（５）前記固定金具は、斜めスライド枠と固定板とをつなぐ締付け具が、手指で締め付けが可能な蝶ナットおよびボルトにて構成され、該固定板は頂部に幅木の上部側縁に係合する突き当て部が設けられかつ底部には足場板を把持する把持部を有するものからなること、
が、より好ましい解決手段を提供できる。
【発明の効果】
【００１３】
本発明に係る足場用幅木は、以下のような効果を有する。
（１）足場板ならびに掛止クランプへの取付けが容易で、しかもその取付け状態が安定している。そして、このような取付け作業に当たっては、特別な工具を必要とすることなく、ワンタッチ感覚での取付けが可能である。
（２）メーカーやロットの違いによって寸歩精度の異なるいかなる足場板に対してもよく適合した状態で取付ける調節機能が高く、一方でその取付け状態が堅固で安全性が高い。
（３）幅木の長手方向両側端部の他、略中央部にも浮き上がり防止金具を設けた３点支持の形態をとっていること、および斜めにスライドする締付け具（固定金具）を採用しているので、取付け状態に弛みや横づれが生じて浮き上がったり、脱落したりするようなことがない。
（４）係止金具および固定金具は箱形パネルからなる幅木の厚み範囲内の端面もしくはパネル内に収まるように設けられたものなので、足場用幅木を上下方向、水平方向にきちんと積載し、整列させることができ、保管面積が小さくてすむ。
【図面の簡単な説明】
【００１４】
【図１】一般的な建枠について一部を省略して示す斜視図である。
【図２】本発明に係る幅木の正面図（ａ）および背面図（ｂ）である。
【図３】本発明に係る幅木の長手方向の端部の詳細を示す斜視図である。
【図４】本発明に係る幅木の長手方向の端部に取付けられる係止金具の平面図である。
【図５】本発明に係る幅木の中央部に取付けられる固定金具の側面図である。
【図６】本発明に係る斜めスライド枠の正面図（ａ）および側面図（ｂ）である。
【発明を実施するための形態】
【００１５】
本発明に係る足場用幅木は、外面側に開口をもつチャンネル状の箱形パネルからなる幅木本体１に対し、その長手方向の両端部とくにその端面に相接して上下方向にスライドし、足場板２の端部に突設した掛止クランプＣに嵌め込む左右一対の係止金具３、３’と、該幅木本体の略中央部にあって、これの上下（浮き上がり）方向、左右（横スライド）方向への動きを制止する固定金具４とによる３点支持によって、該幅木を足場板２の側縁部（ひいては建枠Ｆ）に立設固定するようにした点が特徴の１つである。
【００１６】
また、本発明の他の特徴は、前記係止金具３、３’ならびに前記固定金具４がいずれも、メーカーの違いや使用品が未使用品かという違いなどにより寸法の異なる足場板があった場合においても、これらの取付け状態が常によく適合するようにした調整機構を付与した構成になっていることである。
以下、これらの特徴を踏まえて本発明に係る幅木の具体的な構成について、図１〜図５に基づき説明する。
【００１７】
本発明に係る足場用幅木は、垂直部材（脚柱）Ｆ１間に横架材Ｆ２を組み合わせてなる建枠Ｆの該横架材Ｆ２上に、掛止クランプＣを介して着脱可能に取付けられた足場板２の、とくに外側縁部に沿って立設して用いられるものである。
【００１８】
かかる幅木には、前記係止金具３、３’が、長手方向の両端面に相接した状態で上下方向にスライドすると共に、その幅木長手方向に当たる水平方向にも変位するように、係止ボルト５ｂとスプリング５ａとを介して弾発下に軸支されている。従って、この係止金具３、３’は、上下方向あるいは水平方向のいずれの方向にもスプンリング５ａの弾発力に抗して動かし得るものであり、足場板２と幅木の寸法上の違いによって生じる段差をスライド不良や係合状態の不安定さを招くことなく吸収する上で効果的である。
【００１９】
なお、この係止金具３、３’は、図３において詳細な構造を示すように、下部に二又状係止溝３ａを有し、中央胴部には弾装ボルト５が挿通する長孔状のスライド孔３ｂを有し、そして上部には外向きに突出する頭部３ｃを形成してなる逆Ｌ字形の二又楔状の金具である。また、この金具は、、幅木本体１の長手方向の端面に、スプリング５ａを介して係止ボルト５ｂにより、上下方向と幅木長手方向（水平方向）との２方向に可動可能にかつ弾発的に取付けられるものである。
【００２０】
この係止金具３、３’を上下方向にスライドさせる理由は、図３に示す態勢から、頭部３ｃを指で押し下げることにより、下部に設けた係止溝３ａを足場板２の端面から突出している掛止クランプＣ（建枠Ｆの横架材Ｆ２に掛止した状態に置かれる）上に落し込んで挟み、該幅木を足場板２に立設状態に取付けることにある。本発明では、この係止金具３、３’を掛止クランプＣに差し挟んで係止する際、この金具自身は弾装ボルト５によって弾発下に軸支されているにすぎないので、該金具頭部３ｃを指で押し下げるだけで、工具を使うことなく上記の係止作業を果すことができる点で、この作業が極めて容易にできる。
【００２１】
しかも、この係止金具３、３’は、図４から明らかなように、スプリング５ａを介して弾発的に、軸支された状態であり、幅木の長手方向（水平方向）には変位し得るので、例えば、足場板２の寸法が幅木本体の長さよりも大きいときであっても、幅木端面から少し離隔した状態でもしっかりと軸支できると同時に、この態勢でも上下方向に円滑にスライドさせることができる点にある。その結果、この係止金具３、３’によれば、上述したとおり、足場板２の寸法に違いがあっても、この金具に求められる所期の目的を十分に達成し得る。なお、金具頂部３ｃの形状を平面視で略台形にした場合、図４に示すように幅木の長手方向（水平方向）の右または左方向への変位も可能になる。
【００２２】
図示の符号６は、該係止金具３、３’の上下方向へのスライドを助けるためのガイド板としても機能するものであり、７は幅木どうしの繋ぎ部分を遮蔽する隙間板であって、これらの係止金具３、３’は箱形パネルからなる幅木の厚み範囲内に収まるような大きさにしてある。
【００２３】
本発明において、上記の係止金具３、３’は、この金具の楔効果をもつ係止溝３ａの作用により、幅木本体１を、主として足場板２上の外側縁に立設して擁壁を形造るのに役立つものであるが、この金具３、３’だけでは、幅木の固定、即ち、上下方向、水平方向（長手方向）への移動を完全に阻止することはできない。そこで、本発明では、そうした移動を阻止するための前述した固定金具４が必要となる。
【００２４】
かかる固定金具４は、箱形パネル状幅木本体１の略中央部において、その箱形パネル内に収まるように配設されるものであって、幅木を足場板２にしっかりと固定するためのものである。この固定金具４により、幅木は上下方向（浮き上がり防止）と長手方向（水平位置ずれ防止）への両方向とも弛んだり移動したりするようなことがなくなる。この固定金具４の特徴は、上述したように、足場板２の寸法が違うようなときにも対応できるようにすること、および工具を使うことなく、それでいてしっかりと固定できるようにするという目的を果すこと、即ち、作業性の良好な構造にすることにある。
【００２５】
このような要請に応えられる固定金具４として、本発明では、図２、図５に示すような幅木本体１の外面側側面に固着した斜めスライド枠９とこのスライド枠９内を斜め方向にスライドして往復動する蝶ナットおよびボルトからなる締付け具１０と、そして上・下端部をそれぞれ逆方向に折曲げて頂部には突き当て部１１ａを、一方、底部には把持部１１ｂを設けてなる固定板１１とからなるものを採用する。
【００２６】
前記斜めスライド枠９は、水平方向に対して略３０〜４５°の傾きをもつボックス状に形造られた斜行溝９ａが設けられており、その斜行溝９ａ内には、前記締付け具１０のボルト頭部をスライド可能に嵌合収容してなるものである。一方、前記固定板１１はその上部に、上記締付け具１０を受け入れるボルト挿通孔を有し、前記把持部１１ｂを足場板２の下面に把持すると同時に、この固定板１１が締め付け位置である斜め上方に迫り上がり上限にまで移動したときには、前記突き当て部１１ａが幅木本体１の折返し上部側縁１ａに突き当たるように曲成されたものである。
【００２７】
そして、その締め付け位置（図２（ｂ）の実線で示す位置および図５（ａ））において、前記締付け具１０の蝶ナット８を、工具を使うことなく手指にて締め付けることで、該幅木本体１は、上下方向にもまた左右方向にも全く位置ずれすることなく、足場板２上にしっかりと立設固定された状態になる。
【００２８】
特に、本発明では、この固定金具４を、斜めスライド機構をもって締結するようにしたので、縦スライドや横スライド構造のものに比べて締め付け状態に弛みが出ることがなく、しかも蝶ナット８にて締結するようにしたので、工具を使うまでもなく強い締め付け力が得られ、上述した３点支持方式を採用したこととも相俟って幅木の固定を堅固に行うことができ、安全性の確保に資するものとなる。
【００２９】
本発明において、係止金具３、３’は、長手方向端面にスプリング５ａを介して弾発的に軸支されているので、足場用幅木を保管する場合には、係止金具３、３’を上方向へスライドさせるだけで、箱形パネルからなる幅木の厚み範囲内の端面に収まるようにすることができる。そして、固定板１１を収納する場合には、蝶ナット８を緩め、固定板１１を上方向へスライドさせ、再び蝶ナット８で締め付ければよい。これにより、いずれの位置にあっても固定板１１は常にパネル内に収まることになる。このように、本発明の足場用幅木は、係止金具３、３’および固定板１１を箱形パネルからなる幅木の厚み範囲内の端面もしくはパネル内に収めることができる。その結果、足場用幅木を上下方向、水平方向にきちんと積載し、整列させることができ、これらの金具の保管面積を小さくすることができる。
【産業上の利用可能性】
【００３０】
本発明の足場用幅木は、建築工事現場や土木工事現場のみならず、その他の工事現場、イベント会場、造園工事など足場建枠を利用する全ての分野において使用が可能である。
【符号の説明】
【００３１】
１  幅木本体
２  足場板
３、３’  係止金具
４  固定金具
５ａ  スプンリグ
５ｂ  係止ボルト
６  ガイド板
７  隙間板
９  斜めスライド枠
９ａ  斜行溝
１０  締付け具
１１  固定板
１１ａ  突き当て部
１１ｂ  把持部
Ｆ  建枠
Ｆ１  垂直部材
Ｆ２  横架材
【図１】
2010222958.tif 000003
【図２】
2010222958.tif 000004
【図３】
2010222958.tif 000005
【図４】
2010222958.tif 000006
【図５】
2010222958.tif 000007
【図６】
2010222958.tif 000008